(57)【要約】【課題】集合住宅などのような建造物において、排水管がごみ詰まりするのを防止する構造に関し、建造物の縦管や横管中のごみを地上で容易に掃除可能な構造を実現する。【解決手段】建造物の排水用の縦管１にｈ字状の分岐管３を設け、該ｈ字状の分岐管３を下方への排水管とし、該縦管１の下端に開閉蓋５を設けると共に、該縦管１のｈ字状分岐部４の下側１ａをごみ溜めとし、排水縦管１がごみ詰まりするのを防止する。横排水管の場合は、適当な場所にごみ溜め管１ａを垂下させる。【選択図】          図１
2004176261.tif 000002
【特許請求の範囲】
【請求項１】
建造物の排水用の縦管にｈ字状の分岐管を設け、該ｈ字状の分岐管を下方への排水管とし、該縦管の下端に開閉蓋を設けると共に、該縦管のｈ字状分岐部の下側をごみ溜めとすることを特徴とする排水管のごみ詰まり防止構造。
【請求項２】
前記の縦管が建造物のスラブを貫通しており、前記のｈ字状分岐部が、該スラブより下側において、該スラブの下面寄りの高さに配設されていることを特徴とする請求項１に記載の排水管のごみ詰まり防止構造。
【請求項３】
前記の縦管が建造物のスラブを貫通しており、前記のｈ字状分岐部が、該スラブより上側において、該スラブの上面寄りの高さに配設されていることを特徴とする請求項１に記載の排水管のごみ詰まり防止構造。
【請求項４】
建造物に付随する横管にごみ溜め部を垂下させておき、該ごみ溜め部の下端に開閉蓋を設けてなることを特徴とする排水管のごみ詰まり防止構造。
【発明の詳細な説明】
【０００１】
【産業上の利用分野】
本発明は、集合住宅などのような建造物において、排水管がごみ詰まりするのを防止する構造に関する。
【０００２】
【従来の技術】
実開平７−３８２６６号公報に記載されているように、建物の屋上やベランダからの排水中に含まれた固形物などが縦管を通じて下水道に通ずる排水管に流入し、排水管を詰まらせることがあるので、その際の掃除を容易にするために、縦管と排水管の間に排水管カバーを被着する構造が知られている。
【０００３】この構造は、時々排水管カバーを外して、縦管の下端に開けてある掃除用の切り欠きから、排水管の中を掃除することで、排水管が詰まるのを防止するようになっている。
【０００４】
【発明が解決しようとする課題】
しかしながら、このような構造では、地中に埋めてある排水管中に縦管からごみが流入してから、排水管カバーを外して、排水管中に流れ込んだごみを取り出すため、掃除が困難であり、排水管中に流れ込んだごみを確実に掃除することは不可能に近い。
【０００５】そのため、地中に埋設された排水管が詰まった場合は、詰まっている位置が判別不能なこともあって、排水管の全長を掘り起こして点検し、詰まっているか所を見つけて、掃除する必要がある。その結果、作業が大がかりとなるほか、多大な時間と人件費が必要となる。
【０００６】したがって、縦管から地中の排水管にごみが流れ込む前に、地上で縦管中のごみを排除し、掃除できることが望まれる。また、簡単な作業で容易にごみを掃除できることが望ましい。
【０００７】本発明の技術的課題は、このような問題に着目し、建造物の縦管中のごみを地上で容易に掃除可能な構造を実現することにある。
【０００８】
【課題を解決するための手段】
本発明の技術的課題は次のような手段によって解決される。請求項１は、建造物の排水用の縦管にｈ字状の分岐管を設け、該ｈ字状の分岐管を下方への排水管とし、該縦管の下端に開閉蓋を設けると共に、該縦管のｈ字状分岐部の下側をごみ溜めとすることを特徴とする排水管のごみ詰まり防止構造である。
【０００９】このように、建造物の縦管にｈ字状の分岐管を設け、ｈ字状の分岐管を下方への排水管とし、該縦管の下端に開閉蓋を設けると共に、該縦管のｈ字状分岐部の下側をごみ溜めとする構造になっているため、縦管中を流下して来たごみは、該縦管の下部のごみ溜め中に流れ込んで堆積し溜まる。そのため、ごみを含まない排水のみが、ｈ字状の分岐管にオーバーフローして下方の排水管に流れ落ちることになる。
【００１０】したがって、地中に埋設されている地中排水管までごみが到来する前に、地上の縦管のごみ溜め中にごみが溜まることになる。そして、このごみ溜めは、下端の開閉蓋を外すだけで、溜まっているごみが一斉に溜まり水と一緒に落下するため、ごみ溜め中の掃除は至って簡単である。
【００１１】請求項２は、請求項１に記載の縦管が建造物のスラブを貫通しており、前記のｈ字状分岐部が、該スラブより下側において、該スラブの下面寄りに配設されていることを特徴とする排水管のごみ詰まり防止構造である。
【００１２】このように、縦管が建造物のスラブを貫通しており、前記のｈ字状分岐部が、該スラブより下側において、該スラブの下面寄りの高さに配設されているため、バケツなどの容器を持ち上げて、縦管のごみ溜めの下側に配置した状態で、開閉蓋を外すだけで、ごみ溜め中のごみを容易に排出できる。
【００１３】請求項３は、請求項１に記載の縦管が建造物のスラブを貫通しており、前記のｈ字状分岐部が、該スラブより上側において、該スラブの上面寄りに配設されていることを特徴とする排水管のごみ詰まり防止構造である。
【００１４】このように、縦管が建造物のスラブを貫通しており、前記のｈ字状分岐部が、該スラブより上側において、該スラブの上面寄りの高さに配設されているため、バケツなどの容器を高い位置まで持ち上げなくても、スラブ上で、縦管のごみ溜めの下側にバケツなどを置いただけで、開閉蓋を外して、ごみ溜め中のごみを容易に排出できる。
【００１５】請求項４は、建造物に付随する横管にごみ溜め部を垂下させておき、該ごみ溜め部の下端に開閉蓋を設けてなることを特徴とする排水管のごみ詰まり防止構造である。
【００１６】このように、建造物に付随する横管にごみ溜め部を垂下させておき、該ごみ溜め部の下端に開閉蓋を設けた構造になっているため、横管中を排水と共にごみが流れる際に、ごみはごみ溜め部中に流れ込んで堆積するため、時々ごみ溜め部の下端の開閉蓋を開けて、溜まったごみを溜まり水と一緒に排出させるだけで、横管中や横管の下流側にごみが溜まったりするのを未然に防止できる。
【００１７】
【発明の実施の形態】
次に本発明による排水管のごみ詰まり防止構造が実際上どのように具体化されるか実施形態を説明する。図１は本発明による排水管のごみ詰まり防止構造の実施形態を示す縦断面図である。
【００１８】Ｓはベランダなどのスラブであり、排水用の縦管１が上下方向に貫通している。通常、各ベランダのスラブＳ上では、縦管１の下端部に周知の鋳物製のストレーナ２を設けてある。したがって、木の葉や紙切れなどのような比較的大きなごみは、このストレーナ２で阻止されるため、ベランダ上の土砂などがストレーナ２を通過して、縦管１中に流れ込むことになる。
【００１９】この縦管１には、スラブＳの下側において、ｈ字状の分岐管３を連結してある。そして、この分岐管３の下部３ａが下階への排水縦管となる。すなわち、下階のベランダのスラブＳ１上のストレーナ２の上端まで屈曲して連結されている。
【００２０】スラブＳの下部における縦管１は、ｈ字状の分岐部４より下側がごみ溜め管１ａとなっている。そして、このごみ溜め管１ａの下端は、開閉蓋５で閉鎖されている。分岐部４から開閉蓋５までの高さは、例えば５０ｃｍ前後が適している。したがって、下階のベランダのスラブＳ１から開閉蓋５までの高さは、２５０ｃｍ程度の高さとなる。
【００２１】このような構造において、上階のストレーナ２を通過して流れ落ちて来た土砂などのごみは、そのままごみ溜め管１ａ中に流れ込んで沈下し、沈殿する。したがって、土砂などのごみ以外の排水は、分岐管３側にオーバーフローして、ｈ字状の分岐管３中に流れ込み、次いで下端のストレーナ２中を通過して、下階の縦管１中に流れ落ちる。
【００２２】このように、土砂などのごみはごみ溜め管１ａ中に流れ込んで沈殿し堆積するため、例えば年に１〜２回程度の頻度で、開閉蓋５を開けると、ごみ溜め管１ａ中に溜まっているごみが、ごみ溜め管１ａ中に溜まっている水と一緒にドサッと落下し、排出される。したがって、ごみ溜め管１ａの下側にバケツなどを持ち上げて置けば、排出されたごみと溜まり水を一緒に受けることができる。
【００２３】開閉蓋５は、その外周にオネジを形成しておき、ごみ溜め管１ａの下部内周にメネジを形成しておけば、開閉蓋５は容易に着脱できる。１０は開閉操作用のつまみである。なお、このようにネジ式の開閉蓋付きの管が市販されているので、この市販品を縦管１の下端に接着したりして固設してもよい。また、この縦管１の下部の外側にフック６を接着したりして固定しておけば、バケツなどの取っ手を引っ掛けることができるので、一人で容易に開閉蓋５を外してごみをバケツ中に排出することができる。
【００２４】また、分岐部４は市販のＴ字状のジョイント管を使用でき、９０度の曲部は、市販の曲管を使用できる。これらの各管の材質は特に限定されないが、塩化ビニール管が適している。各管の直径も特に限定されないが、例えば５０〜１５０ｍｍ程度が適している。
【００２５】図示例では、縦管１は、集合住宅のベランダなどのスラブＳを貫通しており、ｈ字状の分岐管３が、スラブＳの下面寄りの高さに配設されている。したがって、ごみ溜め管１ａの開閉蓋５を外す場合は、高い場所までバケツなどの容器を上げる必要がある。そこで、ごみ溜め管１ａを下階のベランダのスラブＳ１の付近まで下げ、スラブＳ１の上側の例えば１ｍ程度の高さに、ｈ字状の分岐部４を設けることもできる。この場合は、スラブＳ１上で、低い位置にバケツなどを置けるので、作業が容易になる。
【００２６】図示例では、ｈ字状の分岐管３の下端３ａからストレーナ２に至る部分３ｂは、ごみ溜め管１ａの開閉蓋５の真下に位置しているが、分岐管３の下端３ａの真下にストレーナ２を配置することもできる。この場合は、ごみ溜め管１ａの開閉蓋５の真下のスラブＳ１上に直接バケツなどを置くことができ、最も簡便になる。
【００２７】本発明の思想は、図２のように、横管にも適用できる。７は横管であり、その適当な場所に、Ｔ字状のジョイント８を介して、図１のごみ溜め管１ａに相当する管１ａを垂下させてある。図１のように、このごみ溜め管１ａの下端に開閉蓋５を設けてもよいが、図示例では、大量のごみを溜められるように、ごみ溜め管１ａの下側に、より大径のごみ溜め部９を連結してある。
【００２８】なお、横管７は、水平方向に敷設された勾配付きの排水管であればよく、設置場所などは特に限定されない。ただし、ごみ溜め管１ａを垂下させたり、開閉蓋５を開閉するスペースを要する。
【００２９】この構造において、横管７中を排水が流れる際に、排水中に土砂などが混ざっている場合は、土砂などは、ごみ溜め管１ａからごみ溜め部９中に流れ落ちて沈下沈殿して堆積する。したがって、頃合いを見計らって、年に１〜２回あるいは３〜４年に１回程度の頻度でごみ溜め部９の開閉蓋５を開けて、ごみ溜め部９中に溜まったごみを排出することによって、横管７にごみが溜まったり、ごみで詰まったりするのを未然に防止できる。あるいは、横管７の下流側にごみが堆積して詰まったりするのを防止できる。
【００３０】なお、図１の場合も、ごみ溜め管１ａの下部に、図２のように大型のごみ溜め部９を連結してもよい。また、ごみ溜め部は、必ずしも管状である必要はなく、管状以外の形状にしてもよい。
【００３１】
【発明の効果】
請求項１のように、建造物の縦管にｈ字状の分岐管を設け、ｈ字状の分岐管を下方への排水管とし、該縦管の下端に開閉蓋を設けると共に、該縦管のｈ字状分岐部の下側をごみ溜めとする構造になっているため、縦管中を流下して来たごみは、該縦管の下部のごみ溜め中に流れ込んで堆積し溜まる。そのため、ごみを含まない排水のみが、ｈ字状の分岐管にオーバーフローして下方の排水管に流れ落ちることになる。
【００３２】したがって、地中に埋設されている地中排水管までごみが到来する前に、地上の縦管のごみ溜め中にごみが溜まることになる。そして、このごみ溜めは、下端の開閉蓋を外すだけで、溜まっているごみが一斉に溜まり水と一緒に落下するため、ごみ溜め中の掃除は至って簡単である。
【００３３】請求項２のように、縦管が建造物のスラブを貫通しており、前記のｈ字状分岐部が、該スラブより下側において、該スラブの下面寄りの高さに配設されているため、バケツなどの容器を持ち上げて、縦管のごみ溜めの下側に配置した状態で、開閉蓋を外すだけで、ごみ溜め中のごみを容易に排出できる。
【００３４】請求項３のように、縦管が建造物のスラブを貫通しており、前記のｈ字状分岐部が、該スラブより上側において、該スラブの上面寄りの高さに配設されているため、バケツなどの容器を高い位置まで持ち上げなくても、スラブ上で、縦管のごみ溜めの下側にバケツなどを置いただけで、開閉蓋を外して、ごみ溜め中のごみを容易に排出できる。
【００３５】請求項４のように、建造物に付随する横管にごみ溜め部を垂下させておき、該ごみ溜め部の下端に開閉蓋を設けた構造になっているため、横管中を排水と共にごみが流れる際に、ごみはごみ溜め部中に流れ込んで堆積するため、時々ごみ溜め部の下端の開閉蓋を開けて、溜まったごみを溜まり水と一緒に排出させるだけで、横管中や横管の下流側にごみが溜まったりするのを未然に防止できる。
【図面の簡単な説明】
【図１】本発明による排水管のごみ詰まり防止構造の実施形態を示す縦断面図である。
【図２】本発明を横排水管に適用した実施形態の縦断面図である。
【符号の説明】
１  排水用の縦管
１ａ  ごみ溜め管
Ｓ  ベランダのスラブ
２  ストレーナ
３  ｈ字状の分岐管
３ａ  分岐管の下部
４  ｈ字状の分岐部
５  開閉蓋
６  フック
７  排水用の横管
８  Ｔ字状ジョイント
９  大径のごみ溜め部
１０  操作つまみ
【図１】
2004176261.tif 000003
【図２】
2004176261.tif 000004